(57)【要約】  アンテナスイッチングのための方法について説明する。本方法は、第１のアンテナを使用して送信することを含む。本方法はまた、第２のアンテナを使用して送信することに切り替えるためのトリガが発生すると決定することを含む。トリガは物理アップリンク共有チャネル（ＰＵＳＣＨ）最大送信電力レベル（ＭＴＰＬ）カウンタと物理アップリンク制御チャネル（ＰＵＣＣＨ）ＭＴＰＬカウンタとの組合せに基づく。本方法は、決定に基づいて、第２のアンテナを使用して送信することに切り替えることをさらに含む。
2016540399.tif 000002
【特許請求の範囲】
【請求項１】
アンテナスイッチングのための方法であって、
第１のアンテナを使用して送信することと、
第２のアンテナを使用して送信することに切り替えるためのトリガが発生すると決定すること、ここにおいて、前記トリガが物理アップリンク共有チャネル（ＰＵＳＣＨ）最大送信電力レベル（ＭＴＰＬ）カウンタと物理アップリンク制御チャネル（ＰＵＣＣＨ）ＭＴＰＬカウンタとの組合せに基づく、と、
前記決定に基づいて、前記第２のアンテナを使用して送信することに切り替えることと、
を備える、方法。
【請求項２】
前記トリガは、決定期間内のアップリンクサブフレームの総数に対する前記組合せＭＴＰＬカウンタの比がＭＴＰＬスイッチングしきい値よりも大きいときに発生する、請求項１に記載の方法。
【請求項３】
前記決定期間が約６４０ｍｓを備え、前記ＭＴＰＬスイッチングしきい値が約５０％である、請求項２に記載の方法。
【請求項４】
前記ＰＵＳＣＨ  ＭＴＰＬカウンタは、ＰＵＳＣＨサブフレームの送信（ＴＸ）電力が前記ＭＴＰＬよりも大きいかまたはそれに等しいときに増分され、前記ＰＵＳＣＨ  ＭＴＰＬカウンタは、ＰＵＣＣＨサブフレームのＴＸ電力が前記ＭＴＰＬよりも大きいかまたはそれに等しいときに増分される、請求項１に記載の方法。
【請求項５】
前記トリガは、前記第１のアンテナの基準信号受信電力（ＲＳＲＰ）と前記第２のアンテナのＲＳＲＰが両方ともＭＴＰＬゲーティングしきい値よりも大きいときに発生する、請求項１に記載の方法。
【請求項６】
前記第１のアンテナと前記第２のアンテナとの間でアンテナスイッチが切り替える、請求項１に記載の方法。
【請求項７】
前記アンテナスイッチは、１次受信機とダイバーシティ受信機の両方が切り替えられ得るタイプ１アンテナスイッチである、請求項６に記載の方法。
【請求項８】
前記アンテナスイッチは、１次受信機および送信機のみが２つのアンテナ間で切り替えることができるタイプ２アンテナスイッチである、請求項６に記載の方法。
【請求項９】
前記トリガが基準信号受信電力（ＲＳＲＰ）にも基づく、請求項１に記載の方法。
【請求項１０】
ＲＳＲＰデルタが前記第２のアンテナ上でＲＳＲＰ高しきい値より大きく低下した場合、前記第１のアンテナへのスイッチバックを実行することをさらに備える、請求項９に記載の方法。
【請求項１１】
送信電力制御（ＴＰＣ）コマンドにより、前記第２のアンテナのための前記送信（ＴＸ）電力がスイッチバックの電力しきい値を上回って上昇したとき、前記第１のアンテナへのスイッチバックを実行することをさらに備える、請求項１に記載の方法。
【請求項１２】
前記スイッチバックの電力しきい値が約１０デシベルである、請求項１１に記載の方法。
【請求項１３】
前記第２のアンテナに関するＭＴＰＬカウントが、前記第１のアンテナの前記ＭＴＰＬカウント足すスイッチバックＭＴＰＬしきい値よりも大きい場合、前記第１のアンテナへのスイッチバックを実行することをさらに備える、請求項１に記載の方法。
【請求項１４】
前記スイッチバックＭＴＰＬしきい値が約３０％である、請求項１３に記載の方法。
【請求項１５】
アンテナスイッチングのためのワイヤレス通信デバイスであって、
プロセッサと、
前記プロセッサと電気的に通信しているメモリと、
前記メモリに記憶された命令と
を備え、前記命令は、
第１のアンテナを使用して送信することと、
第２のアンテナを使用して送信することに切り替えるためのトリガが発生すると決定すること、ここにおいて、前記トリガが物理アップリンク共有チャネル（ＰＵＳＣＨ）最大送信電力レベル（ＭＴＰＬ）カウンタと物理アップリンク制御チャネル（ＰＵＣＣＨ）ＭＴＰＬカウンタとの組合せに基づく、と、
前記決定に基づいて、前記第２のアンテナを使用して送信することに切り替えることと、
を行うように前記プロセッサによって実行可能である、ワイヤレス通信デバイス。
【請求項１６】
前記トリガは、決定期間内のアップリンクサブフレームの総数に対する前記組合せＭＴＰＬカウンタの比がＭＴＰＬスイッチングしきい値よりも大きいときに発生する、請求項１５に記載のワイヤレス通信デバイス。
【請求項１７】
前記ＰＵＳＣＨ  ＭＴＰＬカウンタは、ＰＵＳＣＨサブフレームの送信（ＴＸ）電力が前記ＭＴＰＬよりも大きいかまたはそれに等しいときに増分され、前記ＰＵＳＣＨ  ＭＴＰＬカウンタは、ＰＵＣＣＨサブフレームのＴＸ電力が前記ＭＴＰＬよりも大きいかまたはそれに等しいときに増分される、請求項１６に記載のワイヤレス通信デバイス。
【請求項１８】
前記第１のアンテナと前記第２のアンテナとの間でアンテナスイッチが切り替える、請求項１６に記載のワイヤレス通信デバイス。
【請求項１９】
送信電力制御（ＴＰＣ）コマンドにより、前記第２のアンテナのための前記送信（ＴＸ）電力がスイッチバックの電力しきい値を上回って上昇したとき、前記第１のアンテナへのスイッチバックを実行するように実行可能な命令をさらに備える、請求項１６に記載のワイヤレス通信デバイス。
【請求項２０】
前記第２のアンテナに関するＭＴＰＬカウントが前記第１のアンテナの前記ＭＴＰＬカウント足すスイッチバックＭＴＰＬしきい値よりも大きい場合、前記第１のアンテナへのスイッチバックを実行するように実行可能な命令をさらに備える、請求項１６に記載のワイヤレス通信デバイス。
【請求項２１】
アンテナスイッチングのための装置であって、
第１のアンテナを使用して送信するための手段と、
第２のアンテナを使用して送信することに切り替えるためのトリガが発生すると決定するための手段、ここにおいて、前記トリガが物理アップリンク共有チャネル（ＰＵＳＣＨ）最大送信電力レベル（ＭＴＰＬ）カウンタと物理アップリンク制御チャネル（ＰＵＣＣＨ）ＭＴＰＬカウンタとの組合せに基づく、と、
前記決定に基づいて、前記第２のアンテナを使用して送信することに切り替えるための手段と
を備える、装置。
【請求項２２】
前記トリガは、決定期間内のアップリンクサブフレームの総数に対する前記組合せＭＴＰＬカウンタの比がＭＴＰＬスイッチングしきい値よりも大きいときに発生する、請求項２１に記載の装置。
【請求項２３】
前記ＰＵＳＣＨ  ＭＴＰＬカウンタは、ＰＵＳＣＨサブフレームの送信（ＴＸ）電力が前記ＭＴＰＬよりも大きいかまたはそれに等しいときに増分され、前記ＰＵＳＣＨ  ＭＴＰＬカウンタは、ＰＵＣＣＨサブフレームのＴＸ電力が前記ＭＴＰＬよりも大きいかまたはそれに等しいときに増分される、請求項２１に記載の装置。
【請求項２４】
送信電力制御（ＴＰＣ）コマンドにより、前記第２のアンテナのための前記送信（ＴＸ）電力がスイッチバックの電力しきい値を上回って上昇した場合、前記第１のアンテナへのスイッチバックを実行するための手段をさらに備える、請求項２１に記載の装置。
【請求項２５】
前記第２のアンテナに関するＭＴＰＬカウントが前記第１のアンテナの前記ＭＴＰＬカウント足すスイッチバックＭＴＰＬしきい値よりも大きい場合、前記第１のアンテナへのスイッチバックを実行するための手段をさらに備える、請求項２１に記載の装置。
【請求項２６】
アンテナスイッチングのためのコンピュータプログラム製品であって、前記コンピュータプログラム製品が、命令をその上に有する非一時的コンピュータ可読媒体を備え、前記命令は、
ワイヤレス通信デバイスに、第１のアンテナを使用して送信させるためのコードと、
前記ワイヤレス通信デバイスに、第２のアンテナを使用して送信することに切り替えるためにトリガが発生すると決定させるためのコード、ここにおいて、前記トリガが物理アップリンク共有チャネル（ＰＵＳＣＨ）最大送信電力レベル（ＭＴＰＬ）カウンタと物理アップリンク制御チャネル（ＰＵＣＣＨ）ＭＴＰＬカウンタとの組合せに基づく、と、
前記ワイヤレス通信デバイスに、前記決定に基づいて前記第２のアンテナを使用して送信することに切り替えさせるためのコードと、
を備える、コンピュータプログラム製品。
【請求項２７】
前記トリガは、決定期間内のアップリンクサブフレームの総数に対する前記組合せＭＴＰＬカウンタの比がＭＴＰＬスイッチングしきい値よりも大きいときに発生する、請求項２６に記載のコンピュータプログラム製品。
【請求項２８】
前記ＰＵＳＣＨ  ＭＴＰＬカウンタは、ＰＵＳＣＨサブフレームの送信（ＴＸ）電力が前記ＭＴＰＬよりも大きいかまたはそれに等しいときに増分され、前記ＰＵＳＣＨ  ＭＴＰＬカウンタは、ＰＵＣＣＨサブフレームのＴＸ電力が前記ＭＴＰＬよりも大きいかまたはそれに等しいときに増分される、請求項２６に記載のコンピュータプログラム製品。
【請求項２９】
前記ワイヤレス通信デバイスに、送信電力制御（ＴＰＣ）コマンドにより、前記第２のアンテナのための前記送信（ＴＸ）電力がスイッチバックの電力しきい値を上回って上昇した場合、前記第１のアンテナへのスイッチバックを実行させるためのコードをさらに備える、請求項２６に記載のコンピュータプログラム製品。
【請求項３０】
前記第２のアンテナに関するＭＴＰＬカウントが前記第１のアンテナの前記ＭＴＰＬカウント足すスイッチバックＭＴＰＬしきい値よりも大きい場合、前記ワイヤレス通信デバイスに、前記第１のアンテナへのスイッチバックを実行させるためのコードをさらに備える、請求項２６に記載のコンピュータプログラム製品。
【発明の詳細な説明】
【技術分野】
【０００１】
関連出願
[0001]本出願は、参照により本明細書に明確に組み込まれる、２０１３年９月３０日に出願された「Antenna Switch for TX Diversity Based on PUCCH MTPL」と題する米国仮特許出願第６１／８８４，２９４号に関し、その優先権を主張する。
【０００２】
[0002]本開示は、一般に電子デバイスに関する。より詳細には、本開示は、送信（ＴＸ）アンテナスイッチングのためのシステムおよび方法のためのシステムおよび方法に関する。
【背景技術】
【０００３】
[0003]ワイヤレス通信システムは、音声およびデータなど、様々なタイプの通信コンテンツを提供するために広く展開されている。典型的なワイヤレス通信システムは、利用可能なシステムリソース（たとえば、帯域幅、送信電力など）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがあり得る。さらに、これらのシステムは、第３世代パートナーシッププロジェクト（３ＧＰＰ（登録商標）：third generation partnership project）、３ＧＰＰ２、３ＧＰＰロングタームエボリューション（ＬＴＥ（登録商標）：long-term evolution）、ＬＴＥアドバンスト（ＬＴＥ−Ａ：LTE Advanced）（登録商標）などの規格に準拠することができる。
【０００４】
[0004]一般に、ワイヤレス多元接続通信システムは、複数のモバイルデバイスのための通信を同時にサポートし得る。各モバイルデバイスは、順方向リンクおよび逆方向リンク上での送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。
【０００５】
[0005]モバイルデバイスは複数のアンテナをサポートし得る。たとえば、あるアンテナの状態が悪化したとき、モバイルデバイスは別のアンテナに切り替り得る。アンテナスイッチングは受信機性能に基づき得る。しかしながら、いくつかのシナリオでは、受信機（ＲＸ）性能は、送信（ＴＸ）アンテナをいつスイッチすべきかを決定するのに十分でないことがある。したがって、ＴＸアンテナスイッチングのためのシステムおよび方法が有益であり得る。
【発明の概要】
【０００６】
[0006]アンテナスイッチングのための方法について説明する。本方法は、第１のアンテナを使用して送信することを含む。本方法はまた、第２のアンテナを使用して送信することに切り替えるためのトリガが発生すると決定することを含む。トリガは物理アップリンク共有チャネル（ＰＵＳＣＨ：physical uplink shared channel）最大送信電力レベル（ＭＴＰＬ：maximum transmit power level）カウンタと物理アップリンク制御チャネル（ＰＵＣＣＨ：physical uplink control channel）ＭＴＰＬカウンタとの組合せに基づく。本方法は、決定に基づいて、第２のアンテナを使用して送信することに切り替えることをさらに含む。
【０００７】
[0007]トリガは、決定期間内のアップリンクサブフレームの総数に対する組合せＭＴＰＬカウンタの比がＭＴＰＬスイッチングしきい値よりも大きいときに発生し得る。決定期間は約６４０ｍｓであり得、ＭＴＰＬスイッチングしきい値は約５０％であり得る。
【０００８】
[0008]ＰＵＳＣＨ  ＭＴＰＬカウンタは、ＰＵＳＣＨサブフレームの送信（ＴＸ）電力がＭＴＰＬよりも大きいかまたはそれに等しいときに増分され得る。ＰＵＳＣＨ  ＭＴＰＬカウンタは、ＰＵＣＣＨサブフレームのＴＸ電力がＭＴＰＬよりも大きいかまたはそれに等しいときに増分され得る。
【０００９】
[0009]トリガは、第１のアンテナの基準信号受信電力（ＲＳＲＰ：reference signal received power）と第２のアンテナのＲＳＲＰが両方ともＭＴＰＬゲーティングしきい値よりも大きいときに発生し得る。
【００１０】
[0010]第１のアンテナと第２のアンテナとの間でアンテナスイッチが切り替り得る。アンテナスイッチは、１次受信機とダイバーシティ受信機の両方が切り替えられ得るタイプ１アンテナスイッチであり得る。アンテナスイッチは、１次受信機および送信機のみが２つのアンテナ間で切り替えることができるタイプ２アンテナスイッチであり得る。
【００１１】
[0011]トリガはＲＳＲＰにも基づき得る。本方法は、ＲＳＲＰデルタが第２のアンテナ上でＲＳＲＰ高しきい値より大きく低下した場合、第１のアンテナへのスイッチバック（switchback）を実行することをさらに含み得る。
【００１２】
[0012]本方法はまた、送信電力制御（ＴＰＣ：transmit power control）コマンドにより、第２のアンテナのためのＴＸ電力がスイッチバックの電力しきい値を上回って上昇したとき、第１のアンテナへのスイッチバックを実行することを含み得る。スイッチバックの電力しきい値は約１０デシベルであり得る。
【００１３】
[0013]本方法はまた、第２のアンテナに関するＭＴＰＬカウントが第１のアンテナのＭＴＰＬカウント足すスイッチバックＭＴＰＬしきい値よりも大きい場合、第１のアンテナへのスイッチバックを実行することを含み得る。スイッチバックＭＴＰＬしきい値は約３０％であり得る。
【００１４】
[0014]また、アンテナスイッチングのためのワイヤレス通信デバイスについて説明する。本ワイヤレス通信デバイスは、プロセッサと、プロセッサと電子通信しているメモリと、メモリに記憶された命令とを含む。命令は、第１のアンテナを使用して送信するようにプロセッサによって実行可能である。命令はまた、第２のアンテナを使用して送信することに切り替えるためのトリガが発生すると決定するように実行可能である。トリガはＰＵＳＣＨ  ＭＴＰＬカウンタとＰＵＣＣＨ  ＭＴＰＬカウンタとの組合せに基づく。命令は、決定に基づいて、第２のアンテナを使用して送信することに切り替えるようにさらに実行可能である。
【００１５】
[0015]また、アンテナスイッチングのための装置について説明する。本装置は、第１のアンテナを使用して送信するための手段を含む。本装置はまた、第２のアンテナを使用して送信することに切り替えるためのトリガが発生すると決定するための手段を含み、ここにおいて、トリガはＰＵＳＣＨ  ＭＴＰＬカウンタとＰＵＣＣＨ  ＭＴＰＬカウンタとの組合せに基づく。本装置は、決定に基づいて、第２のアンテナを使用して送信することに切り替えるための手段をさらに含む。
【００１６】
[0016]また、アンテナスイッチングのためのコンピュータプログラム製品について説明する。本コンピュータプログラム製品は、命令をその上に有する非一時的コンピュータ可読媒体を含む。命令は、第１のアンテナを使用して送信することをワイヤレス通信デバイスに行わせるためのコードを含む。命令はまた、第２のアンテナを使用して送信することに切り替えるためのトリガが発生すると決定することをワイヤレス通信デバイスに行わせるためのコードを含む。トリガはＰＵＳＣＨ  ＭＴＰＬカウンタとＰＵＣＣＨ  ＭＴＰＬカウンタとの組合せに基づく。命令は、決定に基づいて、第２のアンテナを使用して送信することに切り替えることをワイヤレス通信デバイスに行わせるためのコードをさらに含む。
【図面の簡単な説明】
【００１７】
【図１】[0017]送信（ＴＸ）アンテナスイッチングのためのシステムおよび方法が実行され得る、複数のワイヤレスデバイスをもつワイヤレス通信システムを示す図。
【図２】[0018]ＴＸアンテナスイッチングのための方法を示す流れ図。
【図３】[0019]ＴＸアンテナスイッチングのための方法の詳細な構成を示す流れ図。
【図４】[0020]ＴＸアンテナスイッチングのための方法の別の詳細な構成を示す流れ図。
【図５】[0021]ＴＸアンテナスイッチングのためのシステムおよび方法が実行され得る、ワイヤレス通信デバイスの一構成を示すブロック図。
【図６】[0022]ＴＸアンテナスイッチングのための方法のまた別の詳細な構成を示す流れ図。
【図７】[0023]ワイヤレス通信デバイスのタイプ１アンテナスイッチを示すブロック図。
【図８】[0024]ワイヤレス通信デバイスのタイプ２アンテナスイッチを示すブロック図。
【図９】[0025]多入力多出力（ＭＩＭＯ：multiple-input and multiple-output）システムにおける送信機および受信機のブロック図。
【図１０】[0026]ワイヤレス通信デバイスにおいて利用され得る様々な構成要素を示す図。
【発明を実施するための形態】
【００１８】
[0027]ワイヤレス通信デバイスは複数のアンテナを含み得る。いくつかの構成では、受信（ＲＸ）および送信（ＴＸ）性能を改善するために、アンテナのスイッチングダイバーシティが使用され得る。たとえば、第１のアンテナの状態が悪化した場合、ワイヤレス通信デバイスはあるアンテナから別のアンテナに切り替り得る。
【００１９】
[0028]ワイヤレス通信では、（マルチパス伝搬とも呼ばれる）マルチパスは、無線信号が２つまたはそれ以上の経路によってアンテナに到達する状態である。マルチパスの原因は、大気条件、（たとえば、水域、建築物または山からの）屈折または反射を含み得る。（ロングタームエボリューション（ＬＴＥ）などの）デジタル無線通信では、マルチパスは、エラーを引き起こし、通信の品質に影響を及ぼし得る。マルチパスの影響は、強め合うおよび弱め合う干渉を含み得る。弱め合う干渉は信号のフェージングを引き起こし得る。
【００２０】
[0029]ＬＴＥでは、ＲＸアンテナのスイッチングダイバーシティは常時オンであるが、ワイヤレス通信デバイスのＴＸの挙動は、それがどのように保持されるかに応じて異なり得る。たとえば、ＬＴＥ周波数複信分割（ＦＤＤ）システムでは、マルチパスは、ＴＸの場合に弱め合うように重なり得るが、ＲＸはそうではないことがある。したがって、ＴＸアンテナのＲＸベースのスイッチングのみでは十分でない。たとえば、ワイヤレス通信デバイスは、ＴＸレベルが大きい量跳ね上がった場合、またはＴＸ電力レベルが絶えず最大送信電力レベル（ＭＴＰＬ）に達する場合、アンテナをスイッチすべきである。
【００２１】
[0030]次に、図を参照しながら様々な構成について説明する。同様の参照番号は機能的に同様の要素を示し得る。本明細書で概して説明し、図に示すシステムおよび方法は、多種多様な異なる構成で構成および設計され得る。したがって、図に表されるいくつかの構成についての以下のより詳細な説明は、請求する範囲を限定するものではなく、システムおよび方法を代表するものにすぎない。
【００２２】
[0031]図１に、送信（ＴＸ）アンテナ１１０スイッチングのためのシステムおよび方法が実行され得る、複数のワイヤレスデバイスをもつワイヤレス通信システム１００を示す。ワイヤレス通信システム１００は、音声、データなど、様々なタイプの通信コンテンツを提供するために広く展開されている。ワイヤレスデバイスはワイヤレス通信デバイス１０２または基地局１０４であり得る。
【００２３】
[0032]基地局１０４は１つまたは複数のワイヤレス通信デバイス１０２と通信する局である。基地局１０４は、アクセスポイント、ブロードキャスト送信機、ノードＢ、発展型ノードＢなどと呼ばれることもあり、それらの機能の一部または全部を含み得る。本明細書では「基地局」という用語を使用する。各基地局１０４は特定の地理的エリアに通信カバレージを与える。基地局１０４は１つまたは複数のワイヤレス通信デバイス１０２に通信カバレージを与え得る。「セル」という用語は、この用語が使用されるコンテキストに応じて基地局１０４および／またはそれのカバレージエリアを指すことがある。
【００２４】
[0033]ワイヤレス通信デバイス１０２は、端末、アクセス端末、ユーザ機器（ＵＥ）、加入者ユニット、局などと呼ばれることもあり、それらの機能の一部または全部を含み得る。ワイヤレス通信デバイス１０２は、セルラーフォン、携帯情報端末（ＰＤＡ）、ワイヤレスデバイス、ワイヤレスモデム、ハンドヘルドデバイス、ラップトップコンピュータ、パーソナルコンピュータ、音楽プレーヤ、ビデオプレーヤ、マルチメディアプレーヤ、テレビジョン、電子ゲームシステム、デジタルカメラ、ビデオカムコーダ、ウォッチ、遠隔制御装置、ヘッドセットなどであり得る。
【００２５】
[0034]ワイヤレス通信システム１００は、自宅、オフィス、または建築物群など、物理的エリアをカバーするワイヤレスローカルエリアネットワーク（ＷＬＡＮ：wireless local area network）を備え得る。ＷＬＡＮは、８０２．１１規格などの規格および／またはワイヤレス通信のための他の規格を使用し得る。いくつかの構成では、ＷＬＡＮは、ワイヤレス通信デバイス１０２が互いに直接通信するピアツーピア通信を使用し得る。
【００２６】
[0035]ワイヤレス通信システム１００はまた、たとえば、数メートルのエリアにわたるワイヤレスパーソナルエリアネットワーク（ＷＰＡＮ：wireless personal area network）を備え得る。ＷＰＡＮは、赤外線、Ｂｌｕｅｔｏｏｔｈ（登録商標）、ＷｉＭｅｄｉａベースのＵＷＢ規格（たとえば、ＥＣＭＡ−３６８）、ＺｉｇＢｅｅ（登録商標）規格などの規格、および／またはワイヤレス通信のための他の規格を使用し得る。ＷＰＡＮは、ワイヤレス通信デバイス１０２が互いに直接通信するピアツーピア通信を使用し得る。
【００２７】
[0036]ワイヤレス通信システム１００はまた、ワイドワイヤレスエリアネットワーク（ＷＷＡＮ）を備え得る。ＷＷＡＮは、ＷＣＤＭＡ（登録商標）、ｃｄｍａ２０００  １ｘ、１ｘ−ＥＶ−ＤＯ、ＬＴＥ、ｅＨＲＰＤなどの規格を使用し得る。アクセス端末は、ワイヤレス通信システム１００を通して、ワイヤレス通信ネットワークまたはインターネットなど、別のネットワークに接続し得る。ワイヤレス通信システム１００を介して送られるメッセージは、様々なタイプの通信に関係する情報（たとえば、音声、データ、マルチメディアサービスなど）を備え得、以下でより詳細に説明するように、ワイヤレス通信デバイス１０２のユーザに対する重要度が異なるメッセージであり得る。
【００２８】
[0037]ワイヤレスシステム（たとえば、多元接続システム）における通信は、ワイヤレスリンクを介した送信によって達成され得る。そのような通信リンクは、単入力単出力（ＳＩＳＯ）、多入力単出力（ＭＩＳＯ）、多入力多出力（ＭＩＭＯ）、または多地点協調（ＣｏＭＰ：coordinated multipoint）システムを介して確立され得る。ＭＩＭＯシステムは、それぞれ、データ伝送のための複数（ＮＴ）個の送信アンテナと複数（ＮＲ）個の受信アンテナとを装備した、（１つまたは複数の）送信機と（１つまたは複数の）受信機とを含む。ＳＩＳＯシステムおよびＭＩＳＯシステムはＭＩＭＯシステムの特定の事例である。複数の送信アンテナおよび受信アンテナによって生成された追加の次元数が利用された場合、ＭＩＭＯシステムは、改善された性能（たとえば、より高いスループット、より大きい容量または改善された信頼性）を与えることができる。
【００２９】
[0038]ワイヤレス通信システム１００はＭＩＭＯを利用し得る。ＭＩＭＯシステムは、時分割複信（ＴＤＤ）システムと周波数分割複信（ＦＤＤ）システムの両方をサポートし得る。ＴＤＤシステムでは、アップリンク１２８送信とダウンリンク１２６送信とが同じ周波数領域上で行われるので、相反定理（reciprocity principle）によりアップリンク１２８チャネルからのダウンリンク１２６チャネルの推定が可能である。これにより、送信ワイヤレスデバイスは、その送信ワイヤレスデバイスが受信した通信から送信ビームフォーミング利得を抽出することが可能になる。
【００３０】
[0039]ワイヤレス通信システム１００は、利用可能なシステムリソース（たとえば、帯域幅および送信電力）を共有することによって複数のワイヤレス通信デバイス１０２との通信をサポートすることが可能な多元接続システムであり得る。そのような多元接続システムの例としては、符号分割多元接続（ＣＤＭＡ）システム、広帯域符号分割多元接続（Ｗ−ＣＤＭＡ（登録商標））システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第３世代パートナーシッププロジェクト（３ＧＰＰ）ロングタームエボリューション（ＬＴＥ）システム、および空間分割多元接続（ＳＤＭＡ）システムがある。
【００３１】
[0040]「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、Ｗ−ＣＤＭＡと低チップレート（ＬＣＲ）とを含み、ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭＡなどの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体からの文書に記載されており、ｃｄｍａ２０００は、「第３世代パートナーシッププロジェクト２」（３ＧＰＰ２：3rd Generation Partnership Project 2）と称する団体からの文書に記載されている。明快のために、本技法のいくつかの態様について以下ではＬＴＥに関して説明し、以下の説明の大部分でＬＴＥ用語を使用する。
【００３２】
[0041]ワイヤレス通信デバイス１０２は、所与の瞬間において、ダウンリンク１２６および／またはアップリンク１２８上で０、１つ、または複数の基地局１０４と通信し得る。ダウンリンク１２６とアップリンク１２８の両方上で基地局１０４とワイヤレス通信デバイス１０２との間で複数のチャネルが使用され得る。物理アップリンク共有チャネル（ＰＵＳＣＨ）が、ワイヤレス通信デバイス１０２から基地局１０４にユーザデータを送信するために使用され得る。物理アップリンク制御チャネル（ＰＵＣＣＨ）が、ワイヤレス通信デバイス１０２から基地局１０４にユーザシグナリングデータをトランスポートするために使用され得る。物理ダウンリンク共有チャネル（ＰＤＳＣＨ：physical downlink shared channel）が、基地局１０４からワイヤレス通信デバイス１０２に共通ユーザデータと制御情報とを送信するために使用され得る。物理ダウンリンク制御チャネル（ＰＤＣＣＨ：physical downlink control channel）が、基地局１０４からワイヤレス通信デバイス１０２に制御情報を送信するために使用され得る。
【００３３】
[0042]ワイヤレス通信デバイス１０２は第１のアンテナ１１０ａと第２のアンテナ１１０ｂとを含み得る。第１のアンテナ１１０ａは１次アンテナと呼ばれることもある。第２のアンテナ１１０ｂは２次アンテナまたはダイバーシティアンテナと呼ばれることもある。いくつかの構成では、受信（ＲＸ）および送信（ＴＸ）性能を改善するために、アンテナのスイッチングダイバーシティが使用され得る。たとえば、あるアンテナ１１０の状態が悪化した場合、ワイヤレス通信デバイスは元のアンテナ１１０から別のアンテナ１１０に切り替り得る。
【００３４】
[0043]ワイヤレス通信デバイス１０２はアンテナスイッチ１０６を含み得る。アンテナスイッチ１０６は第１のアンテナ１１０ａと第２のアンテナ１１０ｂとに結合され得る。アンテナスイッチ１０６はアンテナ１１０ａ〜ｂをトランシーバ１３０に結合し得る。トランシーバ１３０は送信機と受信機とを含み得る。アンテナスイッチ１０６は、信号を送信するためにアンテナ１１０のうちの１つ（たとえば、第１のアンテナ１１０ａまたは第２のアンテナ１１０ｂのいずれか）を有効にし得る。したがって、トランシーバ１３０は、選択されたアンテナ１１０を介してアップリンク１２８上で信号を送信し得る。ＴＸ動作のために単一のアンテナスイッチ１０６について図１で説明するが、ワイヤレス通信デバイス１０２は、ＲＸのためのアンテナ１１０とアンテナ１１０ＴＸ動作とを選択するために複数のアンテナスイッチ１０６を含み得ることに留意されたい。ＲＸアンテナ１１０は、ＴＸアンテナ１１０と同じであることも同じでないこともある。
【００３５】
[0044]１つの手法では、ＴＸアンテナ１１０スイッチングはＲＸの性能に基づく。たとえば、ワイヤレス通信デバイス１０２は、第１のアンテナ１１０ａと第２のアンテナ１１０ｂとの基準信号受信電力（ＲＳＲＰ）１１２を決定し得る。あるアンテナ１１０のＲＳＲＰ１１２が別のアンテナ１１０よりも不良である場合、ワイヤレス通信デバイス１０２は、より良好なアンテナ１１０に切り替り得る。しかしながら、ＦＤＤシステムでは、マルチパスは、ＴＸの場合に弱め合うように重なることがあるが、ＲＸの性能は影響受けないことがある。たとえば、マルチパスが基地局１０４においてＵＬ１２８上で弱め合うように重なる状況では、ＤＬ１２６は良好であり得る。この例では、ＲＸベースのスイッチング決定がスイッチングの必要を検出しないことがある。したがって、ＴＸアンテナ１１０のＲＸベースのスイッチングのみでは十分でない。
【００３６】
[0045]アンテナのスイッチングダイバーシティによって、ＵＬ１２８上で信号を送信するために使用されるアンテナ１１０は、ＴＸ状態に基づいて切り替り得る。アンテナのスイッチングダイバーシティを有することの背後にある理由は、ＲＸおよびＴＸ分離が異なり得ることである。アンテナ１１０スイッチの動機となる１つの状況はマルチパスである。上記で説明したように、マルチパスは、無線信号が２つまたはそれ以上の経路によってアンテナに到達する状態である。マルチパスの影響は、強め合うおよび弱め合う干渉を含み得る。ワイヤレス通信デバイス１０２が保持される方法は、第１のアンテナ１１０ａと第２のアンテナ１１０ｂとのＴＸ性能に異なった影響を及ぼし得る。
【００３７】
[0046]周波数複信分割（ＦＤＤ）システムでは、マルチパスは、ＴＸの場合に弱め合うように重なり得るが、ＲＸの場合はそうでないことがある。さらに、マルチパス干渉は、あるアンテナ１１０に別のアンテナ１１０とは異なった影響を及ぼし得る。たとえば、第１のアンテナ１１０ａはＴＸ干渉を受け得るが、第２のアンテナ１１０ｂは、ＴＸ干渉を受けないか、または第１のアンテナ１１０ａよりも小さいＴＸ干渉を受け得る。したがって、ＴＸアンテナのＲＸベースのスイッチングはＴＸ性能を適切に考慮しないことがある。したがって、ＲＸベースのスイッチングに加えて、ワイヤレス通信デバイス１０２は、ＴＸ性能に基づいてアンテナ１１０スイッチをトリガし得る。
【００３８】
[0047]１つの手法では、ワイヤレス通信デバイス１０２は、ＰＵＳＣＨのみに基づいてアンテナ１１０を切り替えるべきかどうかを決定し得る。たとえば、ＰＵＳＣＨ送信のためのＴＸ電力１１４が決定期間１２４中に一定数のサブフレームについて最大送信電力レベル（ＭＴＰＬ）１１６にある場合、アンテナ１１０スイッチがトリガされ得る。しかしながら、ＰＵＳＣＨのみの手法は、ＴＸ性能を評価するためのいくつかの機会を逃し得、アンテナ１１０スイッチングを遅延させ得る。たとえば、基地局がワイヤレス通信デバイス１０２のためのＵＬ許可をスケジュールしたとき、ＰＵＳＣＨ送信が行われ得る。場合によっては、ＰＵＳＣＨ送信のためのＵＬ許可がまれにスケジュールされ得る。したがって、ＰＵＳＣＨに基づくアンテナ１１０スイッチングは、ゆっくりと行われ得るか、またはまったく行われないことがある。
【００３９】
[0048]しかしながら、ＵＬ許可がないワイヤレス通信デバイス１０２からの送信があり得る。ワイヤレス通信デバイス１０２は、ＵＬ許可なしに、チャネル状態フィードバック情報を含むＰＵＣＣＨ送信を送り得る。このチャネル状態フィードバック情報は、チャネル品質インジケータ（ＣＱＩ：channel quality indicator）報告、ランクインジケータ（ＲＩ：rank indicator）報告、および肯定応答／否定応答（ＡＣＫ／ＮＡＣＫ：acknowledgment/negative-acknowledgment）メッセージまたはＨＡＲＱ−ＡＣＫメッセージを含み得る。このチャネル状態フィードバック情報はＵＬ１２８性能にとって重要であるので、基地局１０４が、利用可能な最良のアンテナ１１０を使用してこの情報を受信することが有益である。場合によっては、ＰＵＳＣＨ送信よりも多くのＰＵＣＣＨ送信があり得る。したがって、ＰＵＳＣＨを評価することに加えて、ワイヤレス通信デバイス１０２はまた、アンテナ１１０をスイッチすべきかどうかを決定するときにＰＵＣＣＨを考慮し得る。
【００４０】
[0049]ワイヤレス通信デバイス１０２は、第１のアンテナ１１０ａ、あるいは第２のアンテナ１１０ｂを使用して送信すべきかを決定するアンテナスイッチ決定モジュール１０８を含み得る。アンテナスイッチ決定モジュール１０８はアンテナスイッチ１０６に結合され得る。アンテナスイッチ決定モジュール１０８は、ＴＸ動作のためにどちらのアンテナ１１０が選択されるかを示す制御信号１３２をアンテナスイッチ１０６に与え得る。アンテナスイッチ１０６とアンテナスイッチ決定モジュール１０８とは図１中の別個の構成要素として示されているが、別の構成では、アンテナスイッチ決定モジュール１０８はアンテナスイッチ１０６中に含まれ得ることに留意されたい。
【００４１】
[0050]一構成では、ワイヤレス通信デバイス１０２は、第１のアンテナ１１０ａを使用して送信し得る。送信アンテナ１１０ａはＴＸ動作のための１次アンテナ１１０であり得る。第２のアンテナ１１０ｂは２次またはダイバーシティアンテナ１１０であり得る。
【００４２】
[0051]アンテナスイッチ決定モジュール１０８は、第２のアンテナ１１０ｂを使用して送信することに切り替えるためのトリガが発生するかどうかを決定し得る。アンテナスイッチ決定モジュール１０８は、ＭＴＰＬ１１６に基づいて、第２のアンテナ１１０ｂを使用して送信することに切り替えるべきかどうかを決定し得る。
【００４３】
[0052]一構成では、トリガは、物理アップリンク共有チャネル（ＰＵＳＣＨ）送信と物理アップリンク制御チャネル（ＰＵＣＣＨ）送信とのために使用される電力量に基づく。アンテナスイッチ決定モジュール１０８は第１のアンテナ１１０ａを監視し得る。ＴＸ電力１１４は、サブフレームを送信するために使用される電力量である。ワイヤレス通信デバイス１０２は、ＭＴＰＬ１１６で構成され得、それは、ワイヤレス通信デバイス１０２が送信のために使用すべきである最大電力量である。一構成では、ＭＴＰＬ１１６は２３ｄＢｍであり得るが、この値はネットワークに応じて異なり得る。ＴＸ電力１１４がＭＴＰＬ１１６よりも大きいかまたはそれに等しい場合、ワイヤレス通信デバイス１０２はピーク送信電力で送信している。これは、一般に、チャネル状態が不良であるか、またはワイヤレス通信デバイス１０２が、そのピーク電力で送信しなければならないように保持されるときに発生する。
【００４４】
[0053]アンテナスイッチ決定モジュール１０８は、決定期間１２４にわたってＰＵＳＣＨとＰＵＣＣＨとのためのＴＸ電力１１４を評価し得る。一構成では、決定期間１２４は、６４０ｍｓであり、それは、６４０個のサブフレームに対応し得る。アンテナスイッチ決定モジュール１０８は、ＰＵＳＣＨサブフレームのためのＴＸ電力１１４がＭＴＰＬ１１６よりも大きいかまたはそれに等しい場合、ＰＵＳＣＨ  ＭＴＰＬカウンタ１１８を増分し得る。アンテナスイッチ決定モジュール１０８は、ＰＵＳＣＨサブフレームのためのＴＸ電力１１４がＭＴＰＬ１１６よりも大きいかまたはそれに等しい場合、ＰＵＣＣＨ  ＭＴＰＬカウンタ１２０を増分し得る。
【００４５】
[0054]ＰＵＳＣＨ  ＭＴＰＬカウンタ１１８は、ＰＵＳＣＨ送信がＭＴＰＬ１１６にあった、決定期間１２４中の時間の総量を反映し得る。同様に、ＰＵＣＣＨ  ＭＴＰＬカウンタ１２０は、ＰＵＣＣＨ送信がＭＴＰＬ１１６にあった、決定期間１２４中の時間の総量を反映し得る。
【００４６】
[0055]決定期間１２４の終了時に、アンテナスイッチ決定モジュール１０８は、第２のアンテナ１１０ｂを使用して送信することにスイッチすべきかどうかを決定し得る。アンテナ１１０を切り替えるためのトリガはＰＵＳＣＨ  ＭＴＰＬカウンタ１１８とＰＵＣＣＨ  ＭＴＰＬカウンタ１２０との組合せに基づき得る。アンテナスイッチ決定モジュール１０８は、アンテナ１１０スイッチトリガが発生するかどうかを決定するために、ＰＵＳＣＨ  ＭＴＰＬカウンタ１１８とＰＵＣＣＨ  ＭＴＰＬカウンタ１２０とを組み合わせ得る。
【００４７】
[0056]アンテナスイッチ決定モジュール１０８は、組合せＭＴＰＬカウンタがＭＴＰＬスイッチングしきい値１２２を超えた場合、アンテナ１１０スイッチをトリガし得る。一構成では、トリガは、決定期間１２４内のアップリンクサブフレームの総数に対する組合せＭＴＰＬカウンタの比が５０％のＭＴＰＬスイッチングしきい値１２２よりも大きいときときに発生する。この場合、ＭＴＰＬスイッチングしきい値１２２は、ＴＸ電力１１４がＭＴＰＬ１１６よりも大きいかまたはそれに等しい、決定期間１２４内のＰＵＳＣＨサブフレームまたはＰＵＣＣＨサブフレームの割合である。
【００４８】
[0057]一例では、ワイヤレス通信デバイス１０２は第１のアンテナ１１０ａで送信しており、決定期間１２４は６４０ｍｓであり、ＭＴＰＬスイッチングしきい値１２２は５０％である。上記で説明したように、これは６４０個のサブフレームに対応する。アンテナスイッチ決定モジュール１０８は、決定期間１２４内のアップリンクサブフレームの総数に対する組合せＭＴＰＬカウンタの比を得るために、ＰＵＳＣＨ  ＭＴＰＬカウンタ１１８とＰＵＣＣＨ  ＭＴＰＬカウンタ１２０とを加算し、その和を６４０で除算し得る。ＭＴＰＬスイッチングしきい値１２２が５０％であるので、次いで、この例では、ＰＵＳＣＨ  ＭＴＰＬカウンタ１１８とＰＵＣＣＨ  ＭＴＰＬカウンタ１２０との和が３２０よりも大きい場合、アンテナスイッチ決定モジュール１０８は、第２のアンテナ１１０ｂに切り替えるようにアンテナスイッチ１０６をトリガし得る。
【００４９】
[0058]決定期間１２４について、時間（たとえば、６４０ｍｓ）に関して説明したが、決定期間１２４は他の単位で定義され得ることに留意されたい。たとえば、決定期間１２４はサブフレームに関して定義され得る。同様に、ＭＴＰＬスイッチングしきい値１２２について、割合（たとえば、５０％）に関して説明したが、スイッチングしきい値１２２も他の単位で定義され得る。たとえば、スイッチングしきい値は、いくつかのサブフレーム、または単に構成可能な整数値であり得る。
【００５０】
[0059]アンテナ１１０を切り替えるためのトリガが発生すると決定すると、アンテナスイッチ決定モジュール１０８は、第１のアンテナ１１０ａから第２のアンテナ１１０ｂに切り替えるためにアンテナスイッチ１０６にコマンド信号１３２を送り得る。
【００５１】
[0060]本明細書で説明するＴＸアンテナスイッチ１０６を使用することのいくつかの利益は、改善されたネットワーク容量と、低減された電流消費と、より低いＴＸ電力１１４と、より少ないドロップされた呼と、電力制御の下でのチャネルへのより小さい電力割振りとを含む。アンテナ１１０スイッチ決定にＰＵＳＣＨとＰＵＣＣＨの両方を含めることによって、ＴＸアンテナ１１０スイッチ時間は（たとえば、連続アップリンク割振りがないとき）低減され得る。これはまた、新しいＴＸアンテナ１１０（すなわち、切り替え先（switched-to）アンテナ１１０）のＨＡＲＱ−ＡＣＫフィードバックを伴うチャネル状態フィードバック（たとえば、ＣＱＩ、ＲＩ）の効率的な送信を助けることができる。
【００５２】
[0061]図２は、送信（ＴＸ）アンテナ１１０スイッチングのための方法２００を示す流れ図である。方法２００は、少なくとも２つの送信アンテナ１１０を含むワイヤレス通信デバイス１０２によって実装され得る。
【００５３】
[0062]ワイヤレス通信デバイス１０２は、２０２において、第１のアンテナ１１０ａを使用して送信する。たとえば、ワイヤレス通信デバイス１０２は１つまたは複数のＵＬ１２８チャネル上で送信し得る。これらのＵＬ１２８チャネルはＰＵＳＣＨとＰＵＣＣＨとを含み得る。
【００５４】
[0063]ワイヤレス通信デバイス１０２は、２０４において、第２のアンテナ１１０ｂを使用して送信することに切り替えるためのトリガが発生するかどうかを決定する。一構成では、トリガは、物理アップリンク共有チャネル（ＰＵＳＣＨ）送信と物理アップリンク制御チャネル（ＰＵＣＣＨ）送信とのために使用される電力量に基づく。ワイヤレス通信デバイス１０２はＰＵＳＣＨ  ＭＴＰＬカウンタ１１８とＰＵＣＣＨ  ＭＴＰＬカウンタ１２０とを維持し得る。
【００５５】
[0064]ワイヤレス通信デバイス１０２は第１のアンテナ１１０ａを監視し得る。ワイヤレス通信デバイス１０２は、決定期間１２４にわたってＰＵＳＣＨとＰＵＣＣＨとのためのＴＸ電力１１４を評価し得る。ワイヤレス通信デバイス１０２は、ＰＵＳＣＨサブフレームのためのＴＸ電力１１４がＭＴＰＬ１１６よりも大きいかまたはそれに等しい場合、ＰＵＳＣＨ  ＭＴＰＬカウンタ１１８を増分し得る。ワイヤレス通信デバイス１０２は、ＰＵＳＣＨサブフレームのためのＴＸ電力１１４がＭＴＰＬ１１６よりも大きいかまたはそれに等しい場合、ＰＵＣＣＨ  ＭＴＰＬカウンタ１２０を増分し得る。
【００５６】
[0065]決定期間１２４の終了時に、ワイヤレス通信デバイス１０２は、第２のアンテナ１１０ｂを使用して送信することにスイッチすべきかどうかを決定し得る。アンテナ１１０を切り替えるためのトリガはＰＵＳＣＨ  ＭＴＰＬカウンタ１１８とＰＵＣＣＨ  ＭＴＰＬカウンタ１２０との組合せに基づき得る。ワイヤレス通信デバイス１０２は、アンテナ１１０スイッチトリガが発生するかどうかを決定するために、ＰＵＳＣＨ  ＭＴＰＬカウンタ１１８とＰＵＣＣＨ  ＭＴＰＬカウンタ１２０とを組み合わせ得る。
【００５７】
[0066]アンテナスイッチ決定モジュール１０８は、組合せＭＴＰＬカウンタがＭＴＰＬスイッチングしきい値１２２を超えた場合、アンテナ１１０スイッチをトリガし得る。一構成では、トリガは、決定期間１２４内のアップリンクサブフレームの総数に対する組合せＭＴＰＬカウンタの比が５０％のＭＴＰＬスイッチングしきい値１２２よりも大きいときときに発生する。
【００５８】
[0067]アンテナ１１０を切り替えるためのトリガが発生すると決定すると、ワイヤレス通信デバイス１０２は、２０６において、第２のアンテナ１１０ｂを使用して送信することに切り替える。第１のアンテナ１１０ａから第２のアンテナ１１０ｂに切り替えた後、第２のアンテナ１１０ｂが第１のアンテナ１１０ａよりも不良でないことを検出することが有益であり得る。したがって、ワイヤレス通信デバイス１０２は、第２のアンテナ１１０ｂがより良好であるのかより不良であるのかを決定するためにスイッチバック探索を実行し得る。これについて、図５においてより詳細に説明される。
【００５９】
[0068]図３は、送信（ＴＸ）アンテナ１１０のスイッチングのための方法３００の詳細な構成を示す流れ図である。方法３００は、少なくとも２つの送信アンテナ１１０を含むワイヤレス通信デバイス１０２によって実行され得る。ワイヤレス通信デバイス１０２は、３０２において、第１のアンテナ１１０ａを使用して送信する。たとえば、ワイヤレス通信デバイス１０２は１つまたは複数のＵＬ１２８チャネルで送信し得る。これらのＵＬ１２８チャネルはＰＵＳＣＨとＰＵＣＣＨとを含み得る。
【００６０】
[0069]ワイヤレス通信デバイス１０２は、３０４において、基準信号受信電力（ＲＳＲＰ）１１２が送信アンテナ１１０のスイッチをトリガするかどうかを決定する。たとえば、ワイヤレス通信デバイス１０２は、ＲＳＲＰデルタがＲＳＲＰ高しきい値よりも大きいかどうか、またはＲＳＲＰ低しきい値よりも大きいＲＳＲＰデルタ平均かどうかを決定し得る。これは、図５において説明されるように達成され得る。ＲＳＲＰ１１２が送信アンテナ１１０のスイッチをトリガした場合、ワイヤレス通信デバイス１０２は、３０８において、第２のアンテナ１１０ｂを使用して送信することに切り替える。
【００６１】
[0070]ワイヤレス通信デバイス１０２が、３０４において、ＲＳＲＰ１１２が送信アンテナ１１０におけるスイッチをトリガしないと決定した場合、ワイヤレス通信デバイス１０２は、３０６において、ＰＵＳＣＨ  ＭＴＰＬカウンタ１１８とＰＵＣＣＨ  ＭＴＰＬカウンタ１２０との組合せが送信アンテナ１１０におけるスイッチをトリガするかどうかを決定する。たとえば、ワイヤレス通信デバイス１０２は、ＰＵＳＣＨ  ＭＴＰＬカウンタ１１８とＰＵＣＣＨ  ＭＴＰＬカウンタ１２０との組合せがＭＴＰＬスイッチングしきい値１２２よりも大きいかどうかを決定し得る。これは、図２に関して上記で説明されたように達成され得る。
【００６２】
[0071]ＰＵＳＣＨ  ＭＴＰＬカウンタ１１８とＰＵＣＣＨ  ＭＴＰＬカウンタ１２０との組合せが送信アンテナ１１０のスイッチをトリガした場合、ワイヤレス通信デバイス１０２は、３０８において、第２のアンテナ１１０ｂを使用して送信することに切り替える。ＰＵＳＣＨ  ＭＴＰＬカウンタ１１８とＰＵＣＣＨ  ＭＴＰＬカウンタ１２０との組合せが送信アンテナのスイッチをトリガしない場合、ワイヤレス通信デバイス１０２は、３０２において第１のアンテナ１１０ａを使用して送信することを続ける。
【００６３】
[0072]図４は、送信（ＴＸ）アンテナ１１０スイッチングのための方法４００の別の詳細な構成を示す流れ図である。方法４００は、少なくとも２つの送信アンテナ１１０を含むワイヤレス通信デバイス１０２によって実行され得る。ワイヤレス通信デバイス１０２は、４０２において、ＵＬサブフレームを送信する。たとえば、ワイヤレス通信デバイス１０２は、第１のアンテナ１１０ａまたは第２のアンテナ１１０ｂを使用して送信し得る。ワイヤレス通信デバイス１０２は１つまたは複数のＵＬ１２８チャネル上で送信し得る。
【００６４】
[0073]方法４００は、次の決定期間１２４の間、別のアンテナ１１０に切り替えるべきかどうかを決定するために、決定期間１２４中に実行され得る。一構成では、決定期間１２４は、６４０ｍｓであり得、６４０個のサブフレームを包含し得る。
【００６５】
[0074]ワイヤレス通信デバイス１０２は、４０４において、ＵＬサブフレームのＴＸ電力１１４がＭＴＰＬ１１６よりも大きいかまたはそれに等しいかどうかを決定する。ＴＸ電力１１４は、サブフレームを送信するために使用される電力量である。ＭＴＰＬ１１６は、ワイヤレス通信デバイス１０２が送信のために使用すべきである最大電力量である。
【００６６】
[0075]ＵＬサブフレームのＴＸ電力１１４がＭＴＰＬ１１６よりも小さい場合、ワイヤレス通信デバイス１０２は、４１２において、決定期間１２４が終了したかどうかを決定する。決定期間１２４が終了していない場合、ワイヤレス通信デバイス１０２は、４０２において別のＵＬサブフレームを送信することを続ける。
【００６７】
[0076]ワイヤレス通信デバイス１０２が、４０４において、ＵＬサブフレームのＴＸ電力１１４がＭＴＰＬ１１６よりも大きいかまたはそれに等しいと決定した場合、ワイヤレス通信デバイス１０２は、４０６において、ＵＬサブフレームがＰＵＳＣＨサブフレームであったかどうかを決定する。ＵＬサブフレームがＰＵＳＣＨサブフレームであった場合、ワイヤレス通信デバイス１０２は、４０８において、ＰＵＳＣＨ  ＭＴＰＬカウンタ１１８を増分する。たとえば、ワイヤレス通信デバイス１０２はＰＵＳＣＨ  ＭＴＰＬカウンタ１１８の値に１を加算し得る。ワイヤレス通信デバイス１０２は、次いで、４１２において、決定期間１２４が終了したかどうかを決定する。決定期間１２４が終了していない場合、ワイヤレス通信デバイス１０２は、４０２において別のＵＬサブフレームを送信することを続ける。
【００６８】
[0077]ワイヤレス通信デバイス１０２が、４０６において、ＵＬサブフレームがＰＵＳＣＨサブフレームでなかったと決定した場合、ワイヤレス通信デバイス１０２は、４１０において、ＵＬサブフレームがＰＵＣＣＨサブフレームであったかどうかを決定する。ＵＬサブフレームがＰＵＣＣＨサブフレームであった場合、ワイヤレス通信デバイス１０２は、４１２において、ＰＵＣＣＨ  ＭＴＰＬカウンタ１２０を増分する。たとえば、ワイヤレス通信デバイス１０２はＰＵＣＣＨ  ＭＴＰＬカウンタ１２０の値に１を加算し得る。ワイヤレス通信デバイス１０２は、次いで、４１２において、決定期間１２４が終了したかどうかを決定する。決定期間１２４が終了していない場合、ワイヤレス通信デバイス１０２は、４０２において別のＵＬサブフレームを送信することを続ける。
【００６９】
[0078]ワイヤレス通信デバイス１０２が、４１２において、決定期間１２４が終了したと決定した場合、ワイヤレス通信デバイス１０２は、４１４において、組合せＭＴＰＬカウンタ（たとえば、ＰＵＳＣＨ  ＭＴＰＬカウンタ１１８とＰＵＣＣＨ  ＭＴＰＬカウンタ１２０との組合せ）がＭＴＰＬしきい値１２２よりも大きいかどうかを決定する。一構成では、トリガは、決定期間１２４内のアップリンクサブフレームの総数に対する組合せＭＴＰＬカウンタの比が５０％のＭＴＰＬスイッチングしきい値１２２よりも大きいときときに発生する。
【００７０】
[0079]組合せＭＴＰＬカウンタがＭＴＰＬしきい値１２２よりも大きい場合、ワイヤレス通信デバイス１０２は、４１６において他のアンテナ１１０に切り替り、４１８においてＰＵＳＣＨ  ＭＴＰＬカウンタ１１８とＰＵＣＣＨ  ＭＴＰＬカウンタ１２０とをリセットする。組合せＭＴＰＬカウンタがＭＴＰＬしきい値１２２よりも大きくない場合、ワイヤレス通信デバイス１０２は、現在のアンテナ１１０を使用して送信することを続け得、４１８においてＰＵＳＣＨ  ＭＴＰＬカウンタ１１８とＰＵＣＣＨ  ＭＴＰＬ１２０とをリセットする。４１８においてカウンタ１１８、１２０をリセットすると、ワイヤレス通信デバイス１０２は、４０２においてＵＬサブフレームを送信する。
【００７１】
[0080]図５は、送信（ＴＸ）アンテナ５１０スイッチングのためのシステムおよび方法が実行され得る、ワイヤレス通信デバイス５０２の一構成を示すブロック図である。ワイヤレス通信デバイス５０２は、図１に関して説明したワイヤレス通信デバイス１０２に従って実装され得る。ワイヤレス通信デバイス５０２はＤＬ１２６およびＵＬ１２８上で１つまたは複数の基地局１０４と通信し得る。
【００７２】
[0081]ワイヤレス通信デバイス５０２は第１のアンテナ５１０ａと第２のアンテナ５１０ｂとを含み得る。第１のアンテナ５１０ａは１次アンテナと呼ばれることもある。第２のアンテナ５１０ｂは２次アンテナまたはダイバーシティアンテナと呼ばれることもある。
【００７３】
[0082]ワイヤレス通信デバイス５０２はまた、アンテナスイッチ５０６を含み得る。アンテナスイッチ５０６は第１のアンテナ５１０ａと第２のアンテナ５１０ｂとに結合され得る。アンテナスイッチ５０６はアンテナ５１０ａ〜ｂをトランシーバ５３０に結合し得る。トランシーバ５３０は送信機と受信機とを含み得る。アンテナスイッチ５０６は、信号を送信するためにアンテナ５１０のうちの１つ（たとえば、第１のアンテナ５１０ａまたは第２のアンテナ５１０ｂのいずれか）をトランシーバ５３０に接続し得る。したがって、トランシーバ５３０は、選択されたアンテナ５１０を介してアップリンク１２８上で信号を送信し得る。
【００７４】
[0083]トランシーバ５３０は第１のアンテナ測定値５３４ａと第２のアンテナ測定値５３４ｂとを取得し得る。第１のアンテナ測定値５３４ａは第１のアンテナ５１０ａのＲＳＲＰ５１２ａとＴＸ電力５１４ａとを含み得る。第２のアンテナ測定値５３４ｂは第２のアンテナ５１０ｂのＲＳＲＰ５１２ｂとＴＸ電力５１４ｂとを含み得る。
【００７５】
[0084]ワイヤレス通信デバイス５０２は、第１のアンテナ５１０ａを使用して送信すべきか第２のアンテナ５１０ｂを使用して送信すべきかを決定するアンテナスイッチ決定モジュール５０８を含み得る。アンテナスイッチ決定モジュール５０８はアンテナスイッチ５０６に結合され得る。アンテナスイッチ決定モジュール５０８は、ＴＸの動作のためにどちらのアンテナ５１０が選択されるかを示す制御信号５３２をアンテナスイッチ５０６に与え得る。
【００７６】
[0085]ＴＸアンテナ５１０スイッチングのためのトリガは、部分的にＲＸの性能に基づき得る。たとえば、ワイヤレス通信デバイス５０２は、第１のアンテナ５１０ａと第２のアンテナ５１０ｂとのＲＳＲＰ５１２を決定し得る。アンテナスイッチ決定モジュール５０８は、ＲＳＲＰデルタ５３６を含み得、それは、選択されたアンテナ５１０の短い時間期間にわたるＲＳＲＰ５１２における変化を表す。アンテナスイッチ決定モジュール５０８はまた、ＲＳＲＰデルタ平均５３８を含み得、それは、選択されたアンテナ５１０のＲＳＲＰ５１２の平均変化を表す。
【００７７】
[0086]アンテナスイッチ決定モジュール５０８はＲＳＲＰ高しきい値５４０を含み得る。ＲＳＲＰデルタ５３６がＲＳＲＰ高しきい値５４０よりも大きいとき、アンテナスイッチ決定モジュール５０８はアンテナ５１０を切り替え得る。アンテナスイッチ決定モジュール５０８はまた、ＲＳＲＰ低しきい値５４２を含み得る。ＲＳＲＰデルタ平均５３８がＲＳＲＰ低しきい値５４２よりも大きいとき、アンテナスイッチ決定モジュール５０８はアンテナ５１０を切り替え得る。
【００７８】
[0087]場合によっては、ＲＸベースのスイッチング決定がスイッチングの必要を検出しないことがある。たとえば、マルチパスが基地局１０４において弱め合うように重なる状況では、ダウンリンク１２６は不変のままであるが。したがって、ワイヤレス通信デバイス５０２は、アンテナ５１０スイッチングをＴＸの性能にも基づかせ得る。
【００７９】
[0088]アンテナスイッチ決定モジュール５０８は、ＭＴＰＬ５１６が、決定期間５２４中の高い割合の時間の間達成された場合、アンテナ５１０スイッチをトリガし得る。一構成では、アンテナスイッチ決定モジュール５０８は、アンテナ５１０スイッチングをＰＵＳＣＨ構成とＰＵＣＣＨ構成とに基づかせ得る。たとえば、アンテナ５１０スイッチトリガは、物理アップリンク共有チャネル（ＰＵＳＣＨ）送信と物理アップリンク制御チャネル（ＰＵＣＣＨ）送信とのために使用される電力量に基づき得る。
【００８０】
[0089]アンテナスイッチ決定モジュール５０８は、決定期間５２４にわたってＰＵＳＣＨとＰＵＣＣＨとのためのＴＸ電力５１４を評価し得る。第１のアンテナ５１０ａがＴＸアンテナ５１０として選択されたとき、アンテナスイッチ決定モジュール５０８は第１のアンテナ５１０ａのＴＸ電力５１４ａを監視し得る。同様に、第２のアンテナ５１０ｂがＴＸアンテナ５１０として選択されたとき、アンテナスイッチ決定モジュール５０８は第２のアンテナ５１０ｂのＴＸ電力５１４ｂを監視し得る。一構成では、決定期間５２４は、６４０ｍｓであり、それは、６４０個のサブフレームに対応し得る。
【００８１】
[0090]アンテナスイッチ決定モジュール５０８は、ＰＵＳＣＨサブフレームのためのＴＸ電力５１４がＭＴＰＬ５１６よりも大きいかまたはそれに等しい場合、ＰＵＳＣＨ  ＭＴＰＬカウンタ５１８を増分し得る。アンテナスイッチ決定モジュール５０８は、ＰＵＳＣＨサブフレームのためのＴＸ電力５１４がＭＴＰＬ５１６よりも大きいかまたはそれに等しい場合、ＰＵＣＣＨ  ＭＴＰＬカウンタ５２０を増分し得る。
【００８２】
[0091]決定期間５２４の終了時に、アンテナスイッチ決定モジュール５０８は、第２のアンテナ５１０ｂを使用して送信することに切り替えるべきかどうかを決定し得る。アンテナ５１０を切り替えるためのトリガはＰＵＳＣＨ  ＭＴＰＬカウンタ５１８とＰＵＣＣＨ  ＭＴＰＬカウンタ５２０との組合せに基づき得る。一構成では、アンテナスイッチ決定モジュール５０８は、アンテナ５１０スイッチトリガが発生するかどうかを決定するために、ＰＵＳＣＨ  ＭＴＰＬカウンタ５１８とＰＵＣＣＨ  ＭＴＰＬカウンタ５２０とを組合せて、組合せＭＴＰＬカウンタ５４４にし得る。
【００８３】
[0092]アンテナスイッチ決定モジュール５０８は、組合せＭＴＰＬカウンタ５４４がＭＴＰＬスイッチングしきい値５２２を超えた場合、アンテナ５１０スイッチをトリガし得る。これは、図４に関して上記で説明されたように達成され得る。
【００８４】
[0093]アンテナ５１０を切り替えるためのトリガが発生すると決定すると、アンテナスイッチ決定モジュール５０８は、アンテナ５１０を切り替えるためにアンテナスイッチ５０６にコマンド信号５３２を送り得る。たとえば、第１のアンテナ５１０ａが現在のＴＸアンテナ５１０である場合、制御信号５３２は、第２のアンテナ５１０ｂに切り替えるようにアンテナスイッチ５０６に命令し得る。アンテナスイッチ決定モジュール５０８は、次いで、ＰＵＳＣＨ  ＭＴＰＬカウンタ５１８とＰＵＣＣＨ  ＭＴＰＬカウンタ５２０とをリセットし得る。
【００８５】
[0094]アンテナ５１０を切り替えた後、スイッチ先アンテナ５１０が元のアンテナ５１０よりも不良でないことを検出することが有益であり得る。したがって、アンテナスイッチ決定モジュール５０８は、スイッチ先アンテナ５１０がより良好であるのかより不良であるのかを決定するためにスイッチバックの分析を実行し得る。
【００８６】
[0095]アンテナスイッチ決定モジュール５０８は、切り替え先アンテナ５１０のＲＳＲＰ５１２が元のアンテナ５１０のＲＳＲＰ５１２よりも不良であるかどうかを決定し得る。たとえば、第１のアンテナ５１０ａから第２のアンテナ５１０ｂに切り替えると、アンテナスイッチ決定モジュール５０８は、第２のアンテナ５１０ｂのＲＳＲＰ５１２ｂが第１のアンテナ５１０ａのＲＳＲＰ５１２ａよりも不良であるかどうかを決定し得る。第２のアンテナ５１０ｂのＲＳＲＰ５１２ｂが第１のアンテナ５１０ａのＲＳＲＰ５１２ａよりも不良である場合、アンテナスイッチ決定モジュール５０８は、第１のアンテナ５１０ａを使用して送信することへのスイッチバックをトリガし得る。
【００８７】
[0096]アンテナスイッチ決定モジュール５０８は、スイッチ先アンテナ５１０のＴＸ電力５１４がスイッチバックの電力しきい値５４６よりも大きいかどうかを決定し得る。たとえば、アンテナスイッチ決定モジュール５０８は、第２のアンテナ５１０ｂのＴＸ電力５１４ｂがスイッチバックの電力しきい値５４６よりも大きいかどうかを決定し得る。一構成では、スイッチバックの電力しきい値５４６は１０デシベル（ｄＢ）であり得る。切り替え先アンテナ５１０のＴＸ電力５１４がスイッチバックの電力しきい値５４６を上回った場合、アンテナスイッチ決定モジュール５０８は元のアンテナ５１０にスイッチバックし得る。
【００８８】
[0097]アンテナスイッチ決定モジュール５０８はまた、切り替え先アンテナ５１０に関するＭＴＰＬカウントが元のアンテナ５１０に関する組合せＭＴＰＬカウント（たとえば、組合せＭＴＰＬカウンタ５４４）足すスイッチバックＭＴＰＬしきい値５４８を超えるかどうかを決定し得る。一構成では、スイッチバックＭＴＰＬしきい値５４８は３０％であり得る。
【００８９】
[0098]アンテナスイッチ決定モジュール５０８は、新しい決定期間５２４中に切り替え先アンテナ５１０のＴＸ電力５１４を評価し得る。アンテナスイッチ決定モジュール５０８は、ＰＵＳＣＨサブフレームのＴＸ電力５１４がＭＴＰＬ５１６よりも大きいかまたはそれに等しいとき、ＰＵＳＣＨ  ＭＴＰＬカウンタ５１８を増分し得る。アンテナスイッチ決定モジュール５０８は、ＰＵＣＣＨサブフレームのＴＸ電力５１４がＭＴＰＬ５１６よりも大きいかまたはそれに等しいとき、ＰＵＣＣＨ  ＭＴＰＬカウンタ５２０を増分し得る。スイッチ先アンテナ５１０に関する組合せＭＴＰＬカウント（たとえば、ＰＵＳＣＨ  ＭＴＰＬカウンタ５１８とＰＵＣＣＨ  ＭＴＰＬカウンタ５２０）が元のアンテナ５１０に関する組合せＭＴＰＬカウント足すスイッチバックＭＴＰＬしきい値５４８よりも大きい場合、アンテナスイッチ決定モジュール５０８は元のアンテナ５１０にスイッチバックし得る。
【００９０】
[0099]図６は、送信（ＴＸ）アンテナ１１０スイッチングのための方法６００のまた別の詳細な構成を示す流れ図である。方法６００は、少なくとも２つの送信アンテナ５１０を含むワイヤレス通信デバイス５０２によって実行され得る。ワイヤレス通信デバイス５０２は、６０２において、第１のアンテナ５１０ａを使用して送信する。ワイヤレス通信デバイス１０２は１つまたは複数のＵＬ１２８チャネルで送信し得る。
【００９１】
[00100]ワイヤレス通信デバイス５０２は、６０４において、第１のアンテナ５１０ａのためのＲＳＲＰデルタ５３６を取得する。ワイヤレス通信デバイス５０２は、６０６において、ＲＳＲＰデルタ５３６がＲＳＲＰ高しきい値５４０よりも大きいかどうかを決定する。ＲＳＲＰデルタ５３６がＲＳＲＰ高しきい値５４０よりも大きい場合、ワイヤレス通信デバイス５０２は、６１２において、第２のアンテナ５１０ｂを使用して送信することに切り替える。
【００９２】
[00101]ＲＳＲＰデルタ５３６がＲＳＲＰ高しきい値５４０よりも大きくない場合、ワイヤレス通信デバイス５０２は、６０８において、ＲＳＲＰデルタ平均５３８がＲＳＲＰ低しきい値５４２よりも大きいかどうかを決定する。ＲＳＲＰデルタ平均５３８がＲＳＲＰ低しきい値５４２よりも大きい場合、ワイヤレス通信デバイス５０２は、６１２において、第２のアンテナ５１０ｂを使用して送信することに切り替える。
【００９３】
[00102]ＲＳＲＰデルタ平均５３８がＲＳＲＰ低しきい値５４２よりも大きくない場合、ワイヤレス通信デバイス５０２は、６１０において、組合せＭＴＰＬカウンタ５４４がＭＴＰＬスイッチングしきい値５２２よりも大きいかどうかを決定する。ＰＵＳＣＨ  ＭＴＰＬカウンタ５１８またはＰＵＣＣＨ  ＭＴＰＬカウンタ５２０のいずれかあるいはその両方の組合せがＭＴＰＬスイッチングしきい値５２２よりも大きい場合、ワイヤレス通信デバイス５０２は、６１２において、第２のアンテナ５１０ｂを使用して送信することに切り替える。組合せＭＴＰＬカウンタ５４４がＭＴＰＬスイッチングしきい値５２２よりも大きくない場合、ワイヤレス通信デバイス５０２は、第１のアンテナ５１０ａを使用して送信することを続け得る。
【００９４】
[00103]第２のアンテナ５１０ｂに切り替えた後、ワイヤレス通信デバイス５０２は、６１４において、第２のアンテナ５１０ｂのＲＳＲＰ５１２が第１のアンテナ５１０ａのＲＳＲＰ５１２よりも不良であるかどうかを決定する。第２のアンテナ５１０ｂのＲＳＲＰ５１２が第１のアンテナ５１０ａのＲＳＲＰ５１２よりも不良である場合、ワイヤレス通信デバイス５０２は、６２０において、第１のアンテナ５１０ａを使用して送信することにスイッチバックする。
【００９５】
[00104]第２のアンテナ５１０ｂのＲＳＲＰ５１２が第１のアンテナ５１０ａのＲＳＲＰ５１２よりも不良でない場合、ワイヤレス通信デバイス５０２は、６１６において、第２のアンテナ５１０ｂのＴＸ電力５１４ｂがスイッチバックの電力しきい値５４６よりも大きいかどうかを決定する。第２のアンテナ５１０ｂのＴＸ電力５１４ｂがスイッチバックの電力しきい値５４６よりも大きい場合、ワイヤレス通信デバイス５０２は、６２０において、第１のアンテナ５１０ａを使用して送信することにスイッチバックする。
【００９６】
[00105]第２のアンテナ５１０ｂのＴＸ電力５１４ｂがスイッチバックの電力しきい値５４６よりも大きくない場合、ワイヤレス通信デバイス５０２は、６１８において、第２のアンテナ５１０ｂに関するＭＴＰＬカウントが第１のアンテナ５１０ａのＭＴＰＬカウント足すスイッチバックＭＴＰＬしきい値５４８よりも大きいかどうかを決定する。一構成では、アンテナ５１０のＭＴＰＬカウントは、ＰＵＳＣＨ  ＭＴＰＬカウンタ５１８カウントとＰＵＣＣＨ  ＭＴＰＬカウンタ５２０カウントとの組合せであり得る。第２のアンテナ５１０ｂのＭＴＰＬカウントが第１のアンテナ５１０ａのＭＴＰＬカウント足すスイッチバックＭＴＰＬしきい値５４８よりも大きい場合、ワイヤレス通信デバイス５０２は、６２０において、第１のアンテナ５１０ａを使用して送信することにスイッチバックする。第２のアンテナ５１０ｂのＭＴＰＬカウントが第１のアンテナ５１０ａのＭＴＰＬカウント足すスイッチバックＭＴＰＬしきい値５４８よりも大きくない場合、ワイヤレス通信デバイス５０２は、第２のアンテナ５１０ｂを使用して送信することを続け得、方法６００は６２２において終了する。
【００９７】
[00106]図７は、ワイヤレス通信デバイス７０２のタイプ１アンテナスイッチ７０６を示すブロック図である。この構成では、ワイヤレス通信デバイス７０２は、アンテナスイッチ７０６に結合された、第１のアンテナ７１０ａ（たとえば、１次アンテナ）と第２のアンテナ７１０ｂ（たとえば、ダイバーシティアンテナ）とを含む。第１の整合ネットワーク７３７ａが、第１のアンテナ７１０ａまたは第２のアンテナ７１０ｂのいずれかに切り替えられ得る第１のスイッチャブル回路７４１ａに結合される。第２の整合ネットワーク７３７ｂが、第１のアンテナ７１０ａまたは第２のアンテナ７１０ｂのいずれかに切り替えられ得る第２のスイッチャブル回路７４１ｂに結合される。したがって、この構成では、第１のアンテナ７１０ａと第２のアンテナ７１０ｂとが切り替えられ得る。
【００９８】
[00107]ワイヤレス通信デバイス７０２はトランシーバ７３０をも含む。一構成では、トランシーバ７３０は、送信機７３１と、１次受信機（ＰＲｘ）７３３と、ダイバーシティ受信機（ＤＲｘ）７３５とを含む。送信機７３１は、電力増幅器（ＰＡ）７３９を介して第１の整合ネットワーク７３７ａに結合される。１次受信機７３３も整合ネットワーク７３７に結合される。ダイバーシティ受信機７３５は第２の整合ネットワーク７３７ｂに結合される。
【００９９】
[00108]ＲＸダイバーシティが常時オンであるので、プロービングが連続的に行われ得る。したがって、アンテナ７１０スイッチングは、ＲＳＲＰデルタ５３６がＲＳＲＰ高しきい値５４０よりも大きいことによってトリガされ得る。アンテナ７１０スイッチングは、ＲＳＲＰデルタ平均５３８がＲＳＲＰ低しきい値５４２よりも大きいことによってもトリガされ得る。アンテナ７１０スイッチングは、さらに、前の決定期間５２４に関する組合せＭＴＰＬカウンタ５４４がＭＴＰＬスイッチングしきい値５２２よりも大きいとき（第１のアンテナＲＳＲＰ５１２ａと第２のアンテナＲＳＲＰ５１２ｂの両方がＭＴＰＬゲーティングしきい値を上回ることを仮定すれば）、トリガされ得る。
【０１００】
[00109]スイッチ先アンテナ７１０に関するＲＳＲＰ５１２が前のアンテナのＲＳＲＰ５１２よりも不良である場合、前のアンテナ７１０へのスイッチバックがトリガされ得る。一構成では、スイッチバックは、送信電力制御（ＴＰＣ）コマンドによってトリガされ得、ＴＰＣコマンドにより、スイッチ先アンテナ５１０のためのＴＸ電力５１４がスイッチバックの電力しきい値５４８（たとえば、１０ｄＢ）を上回って上昇する。たとえば、ワイヤレス通信デバイス７０２は、ＴＰＣコマンドにより、第２のアンテナ７１０ｂのためのＴＸ電力５１４がスイッチバックの電力しきい値５４８を上回って上昇した場合、第１のアンテナ７１０ａにスイッチバックし得る。
【０１０１】
[00110]スイッチバックはまた、切り替え先アンテナ５１０に関するＭＴＰＬカウントが前のアンテナ５１０に関するＭＴＰＬカウント足すスイッチバックＭＴＰＬしきい値５４８よりも大きい場合、トリガされ得る。これらの条件の両方が真である場合、スイッチバックは電力差によってトリガされ得る。
【０１０２】
[00111]図８は、ワイヤレス通信デバイス８０２のタイプ２アンテナスイッチ８０６を示すブロック図である。この構成では、ワイヤレス通信デバイス８０２は、アンテナスイッチ８０６に結合された、第１のアンテナ８１０ａ（たとえば、１次アンテナ）と第２のアンテナ８１０ｂ（たとえば、ダイバーシティアンテナ）とを含む。第１の整合ネットワーク８３７ａが、第１のアンテナ８１０ａまたは第２のアンテナ８１０ｂのいずれかに切り替えられ得るスイッチャブル回路８４１に結合される。したがって、この構成では、第１のアンテナ８１０ａと第２のアンテナ８１０ｂとが切り替えられ得る。第３のアンテナ８１０ｃが第２の整合ネットワーク８３７ｂに結合され得る。
【０１０３】
[00112]ワイヤレス通信デバイス８０２はトランシーバ８３０をも含む。一構成では、トランシーバ８３０は、送信機８３１と、１次受信機（ＰＲｘ）８３３と、ダイバーシティ受信機（ＤＲｘ）８３５とを含む。送信機８３１は、電力増幅器（ＰＡ）８３９を介して第１の整合ネットワーク８３７ａに結合される。１次受信機８３３も整合ネットワーク８３７に結合される。ダイバーシティ受信機８３５は第２の整合ネットワーク８３７ｂに結合される。
【０１０４】
[00113]タイプ２アンテナスイッチ８０６では、１次受信機８３３および送信機８３１（ＰＲＸ／ＴＸ）のみが第１のアンテナ８１０ａと第２のアンテナ８１０ｂとの間で切り替えることができる。したがって、タイプ２アンテナスイッチ８０６は、最初に、スイッチすべきかどうかを決定し得、次いで、新しいアンテナ８１０上にとどまるべきかスイッチバックすべきかを決定し得る。新しいアンテナ８１０がより良好であるという保証がないので、スイッチをトリガするための基準は保守的に設計され得る。
【０１０５】
[00114]一構成では、アンテナスイッチ８０６は１次ＲＳＲＰ（たとえば、第１のアンテナ８１０ａに関連するＲＳＲＰ５１２）を再び見ることができる。８つの決定期間５２４の期間（約５秒）にわたって測定された１次ＲＳＲＰ５１２がＲＳＲＰ高しきい値５４０だけ持続的に低下したとき、アンテナ８１０スイッチはトリガされ得る。
【０１０６】
[00115]別の構成では、アンテナスイッチ８０６は、１次ＲＳＲＰと２次ＲＳＲＰ（たとえば、第２のアンテナ８１０ｂに関連するＲＳＲＰ５１２）との間の差を比較することができる。１次ＲＳＲＰと２次ＲＳＲＰとの間の差がしきい値よりも大きいとき、アンテナ８１０スイッチはトリガされ得る。別の構成では、第１のアンテナ８１０ａ上で測定されたＲＳＲＰ５１２ａがしきい値よりも低いとき、アンテナ８１０スイッチはトリガされ得る。
【０１０７】
[00116]また別の構成では、前の６４０ｍｓの間の組合せＭＴＰＬカウンタ５４４（たとえば、ＰＵＳＣＨ  ＭＴＰＬカウンタ５１８とＰＵＣＣＨ  ＭＴＰＬカウンタ５２０との組合せ）が５０％（たとえば、３２０）よりも大きいとき（１次ＲＳＲＰと２次ＲＳＲＰの両方がＭＴＰＬゲーティングしきい値を上回ることを仮定すれば）、アンテナ８１０スイッチはトリガされ得る。
【０１０８】
[00117]アンテナ８１０スイッチ後、前のアンテナ８１０へのスイッチバックをトリガする３つの条件があり得る。スイッチバックは、ＲＳＲＰデルタ５３６が新しいアンテナ８１０上でＲＳＲＰ高しきい値５４０より大きく低下した場合、トリガされ得る。たとえば、ワイヤレス通信デバイス８０２は、ＲＳＲＰデルタ５３６が第２のアンテナ８１０ｂ上でＲＳＲＰ高しきい値５４０より大きく低下した場合、第１のアンテナ８１０ａにスイッチバックし得る。
【０１０９】
[00118]スイッチバックはまた、ＴＰＣコマンドにより、ＴＸ電力５１４がスイッチバックの電力しきい値５４６を上回って上昇した場合、トリガされ得る。スイッチバックはさらに、（ＰＵＳＣＨとＰＵＣＣＨの両方のための）新しいアンテナに関する組合せＭＴＰＬカウンタ５４４が、前のアンテナ８１０に関する組合せＭＴＰＬカウンタ５４４よりもスイッチバックＭＴＰＬしきい値５４８だけ大きい場合、トリガされ得る。すべてのこれらの条件が真である場合、スイッチバックは電力差によってトリガされ得る。
【０１１０】
[00119]図９は、多入力多出力（ＭＩＭＯ）システム９００における送信機９６９および受信機９７０のブロック図である。送信機９６９では、いくつかのデータストリームのためのトラフィックデータがデータソース９５２から送信（ＴＸ）データプロセッサ９５３に与えられる。各データストリームは、次いで、それぞれの送信アンテナ９５６ａ〜９５６ｔを介して送信され得る。ＴＸデータプロセッサ９５３は、コード化データを与えるために、各データストリームのためのトラフィックデータを、そのデータストリームのために選択された特定のコーディング方式に基づいてフォーマットし、コーディングし、インターリーブし得る。
【０１１１】
[00120]ＭＩＭＯシステム９００は、データ送信のために複数（ＮT）個の送信アンテナ９５６と複数（ＮR）個の受信アンテナ９６１とを採用し得る。ＮT個の送信アンテナ９５６とＮR個の受信アンテナ９６１とによって形成されるＭＩＭＯチャネルは、ＮS個の独立チャネル、それは空間チャネルとも呼ばれる、に分解され得る。ＮS個の独立チャネルはｍｉｎ｛ＮT，ＮR｝よりも小さいかまたはそれに等しくなり得る。ＮS個の独立チャネルの各々は１つの次元に対応する。複数の送信アンテナ９５６および受信アンテナ９６１によって生成された追加の次元数が利用された場合、ＭＩＭＯシステム９００は改善された性能（たとえば、より高いスループットおよび／またはより大きい信頼性）を与え得る。
【０１１２】
[00121]ＭＩＭＯシステム９００は時分割複信（ＴＤＤ）システムと周波数分割複信（ＦＤＤ）システムとをサポートし得る。ＴＤＤシステムでは、アップリンク送信とダウンリンク送信とが同じ周波数領域上で行われるので、相反定理によりアップリンクチャネルからのダウンリンクチャネルの推定が可能である。これにより、基地局１０４において複数のアンテナが利用可能であるとき、基地局１０４はダウンリンク上で送信ビームフォーミング利得を抽出することが可能になる。
【０１１３】
[00122]一構成では、各データストリームは、それぞれの送信アンテナ９５６を介して送信される。ＴＸデータプロセッサ９５３は、コード化データを与えるために、各データストリームのためのトラフィックデータを、そのデータストリームのために選択された特定のコーディング方式に基づいてフォーマットし、コーディングし、インターリーブする。
【０１１４】
[00123]各データストリームのためのコード化データは、ＯＦＤＭ技法を使用してパイロットデータと多重化され得る。パイロットデータは、既知の方法で処理され、チャネル応答を推定するために受信機９７０において使用される既知のデータパターンであり得る。各ストリームのための多重化されたパイロットデータおよびコード化データは、次いで、変調シンボルを与えるために、そのデータストリームのために選択された特定の変調方式（たとえば、２位相シフトキーイング（ＢＰＳＫ：binary phase shift keying）、４位相シフトキーイング（ＱＰＳＫ：quadrature phase shift keying）、多相シフトキーイング（Ｍ−ＰＳＫ：multiple phase shift keying）またはマルチレベル直交振幅変調（Ｍ−ＱＡＭ：multi-level quadrature amplitude modulation））に基づいて変調（すなわち、シンボルマッピング）される。各データストリームのためのデータレート、コーディング、および変調は、プロセッサによって実行される命令によって決定され得る。
【０１１５】
[00124]すべてのデータストリームのための変調シンボルがＴＸ  ＭＩＭＯプロセッサ９５４に与えられ得、それはさらに（たとえば、ＯＦＤＭ用に）その変調シンボルを処理し得る。次いで、ＴＸ  ＭＩＭＯプロセッサ９５４は、ＮT個の変調シンボルストリームをＮT個の送信機（ＴＭＴＲ）９５５ａ〜９５５ｔに与える。ＴＸ  ＭＩＭＯプロセッサ９５４は、データストリームのシンボルと、シンボルがそこから送信されているアンテナ９５６とにビームフォーミング重みを適用し得る。
【０１１６】
[00125]各送信機９５５は、１つまたは複数のアナログ信号を与えるためにそれぞれのシンボルストリームを受信し、処理し、さらに、ＭＩＭＯチャネルを介して送信するのに適した被変調信号を与えるためにそれらのアナログ信号を調整（たとえば、増幅、フィルタ処理、およびアップコンバート）し得る。送信機９５５ａ〜９５５ｔからのＮT個の被変調信号は、次いで、それぞれＮT個のアンテナ９５６ａ〜９５６ｔから送信される。
【０１１７】
[00126]受信機９７０において、送信された被変調信号はＮR個のアンテナ９６１ａ〜９６１ｒによって受信され、各アンテナ９６１からの受信信号は、それぞれの受信機（ＲＣＶＲ）９６２ａ〜９６２ｎに与えられる。各受信機９６２は、それぞれの受信信号を調整（たとえば、フィルタ処理、増幅、およびダウンコンバート）し、サンプルを与えるために調整された信号をデジタル化し、さらに、対応する「受信」シンボルストリームを与えるためにそれらのサンプルを処理し得る。
【０１１８】
[00127]ＲＸデータプロセッサ９６３が、次いで、ＮT個の「検出」シンボルストリームを与えるためにＮR個の受信機９６２からＮR個の受信シンボルストリームを受信し、特定の受信機処理技法に基づいて処理する。ＲＸデータプロセッサ９６３は、次いで、データストリームのためのトラフィックデータを復元するために、各検出シンボルストリームを復調し、デインターリーブし、復号する。ＲＸデータプロセッサ９６３による処理は、送信機システム９６９におけるＴＸ  ＭＩＭＯプロセッサ９５４およびＴＸデータプロセッサ９５３によって実行される処理を補足するものである。
【０１１９】
[00128]プロセッサ９６４は、どのプリコーディング行列を使用すべきかを周期的に決定し得る。プロセッサ９６４は、メモリ９６５上に情報を記憶し、メモリ９６５から情報を取り出し得る。プロセッサ９６４は、行列インデックス部分とランク値部分とを備える逆方向リンクメッセージを作成する。逆方向リンクメッセージはチャネル状態情報（ＣＳＩ）と呼ばれることがある。逆方向リンクメッセージは、通信リンクおよび／または受信データストリームに関する様々なタイプの情報を備え得る。逆方向リンクメッセージは、次いで、データソース９６８からいくつかのデータストリームのためのトラフィックデータをも受信するＴＸデータプロセッサ９６７によって処理され、変調器９６６によって変調され、送信機９６２ａ〜９６２ｎによって調整され、送信機９６９に返信される。
【０１２０】
[00129]送信機９６９において、受信機からの被変調信号は、アンテナ９５６によって受信され、受信機９５５によって調整され、復調器９５８によって復調され、受信機システム９７０によって送信された逆方向リンクメッセージを抽出するためにＲＸデータプロセッサ９５９によって処理される。プロセッサ９６０は、ＲＸデータプロセッサ９５９からチャネル状態情報（ＣＳＩ）を受信し得る。プロセッサ９６０は、メモリ９５７上に情報を記憶し、メモリ９５７から情報を取り出し得る。プロセッサ９６０は、次いで、ビームフォーミング重みを決定するためにどのプリコーディング行列を使用すべきかを決定し、次いで、抽出されたメッセージを処理する。
【０１２１】
[00130]図１０に、ワイヤレス通信デバイス１００２において利用され得る様々な構成要素を示す。図示の構成要素は、同じ物理的構造内に配置されるか、あるいは別個のハウジングまたは構造中に配置され得る。図１０に関して説明するワイヤレス通信デバイス１００２は、本明細書で説明したワイヤレス通信デバイス１０２、５０２、７０２、８０２のうちの１つまたは複数に従って実装され得る。
【０１２２】
[00131]ワイヤレス通信デバイス１００２はプロセッサ１００３を含む。プロセッサ１００３は、汎用シングルまたはマルチチップマイクロプロセッサ（たとえば、高度ＲＩＳＣマシン（ＡＲＭ））、専用マイクロプロセッサ（たとえば、デジタル信号プロセッサ（ＤＳＰ））、マイクロコントローラ、プログラマブルゲートアレイなどであり得る。プロセッサ１００３は中央処理ユニット（ＣＰＵ）と呼ばれることがある。図１０のワイヤレス通信デバイス１００２中に単一のプロセッサ１００３のみが示されているが、代替構成では、プロセッサ１００３の組合せ（たとえば、ＡＲＭとＤＳＰ）が使用され得る。
【０１２３】
[00132]ワイヤレス通信デバイス１００２は、プロセッサ１００３と電子通信しているメモリ１００５をも含む。すなわち、プロセッサ１００３は、メモリ１００５から情報を読み取り、および／またはメモリ１００５に情報を書き込み得る。メモリ１００５は、電子情報を記憶することが可能な任意の電子的構成要素であり得る。メモリ１００５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサ１００３とともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ（登録商標））、レジスタなど、およびそれらの組合せであり得る。
【０１２４】
[00133]データ１００９ａおよび命令１００７ａがメモリ１００５に記憶され得る。命令１００７ａは、１つまたは複数のプログラム、ルーチン、サブルーチン、関数、プロシージャなどを含み得る。命令は、単一のコンピュータ可読ステートメントまたは多くのコンピュータ可読ステートメントを含み得る。命令１００７ａは、上記で説明した方法、機能、およびプロシージャのうちの１つまたは複数を実装するためにプロセッサ１００３によって実行可能であり得る。命令を実行することは、メモリ１００５に記憶されたデータ１００９ａの使用を伴い得る。図１０は、プロセッサ１００３にロードされている（メモリ１００５に記憶された命令１００７ａおよびデータ１００９ａから来ることがある）いくつかの命令１００７ｂおよびデータ１００９ｂを示している。
【０１２５】
[00134]ワイヤレス通信デバイス１００２はまた、他のワイヤレス通信デバイスと通信するための１つまたは複数の通信インターフェース１０１１を含み得る。通信インターフェース１０１１は、ワイヤード通信技術、ワイヤレス通信技術、またはその両方に基づき得る。様々なタイプの通信インターフェース１０１１の例としては、シリアルポート、パラレルポート、ユニバーサルシリアルバス（ＵＳＢ）、イーサネット（登録商標）アダプタ、電気電子技術者協会（ＩＥＥＥ：Institute of Electrical and Electronics Engineers）１３９４バスインターフェース、ニアフィールド通信（ＮＦＣ：near-field communication）トランシーバ、小型コンピュータシステムインターフェース（ＳＣＳＩ）バスインターフェース、赤外線（ＩＲ）通信ポート、Ｂｌｕｅｔｏｏｔｈワイヤレス通信アダプタ、第３世代パートナーシッププロジェクト（３ＧＰＰ）トランシーバ、ＩＥＥＥ８０２．１１（「Ｗｉ−Ｆｉ（登録商標）」）トランシーバなどがある。たとえば、通信インターフェース１０１１は、ワイヤレス信号を送信および受信するために１つまたは複数のアンテナ（図示せず）に結合され得る。
【０１２６】
[00135]ワイヤレス通信デバイス１００２はまた、１つまたは複数の入力デバイス１０１３と、１つまたは複数の出力デバイス１０１７とを含み得る。様々な種類の入力デバイス１０１３の例としては、キーボード、マウス、マイクロフォン１０１５、遠隔制御デバイス、ボタン、ジョイスティック、トラックボール、タッチパッド、ライトペンなどがある。たとえば、ワイヤレス通信デバイス１００２は、音響信号をキャプチャするための１つまたは複数のマイクロフォン１０１５を含み得る。一構成では、マイクロフォン１０１５は、音響信号（たとえば、ボイス、音声）を電気信号または電子信号に変換するトランスデューサであり得る。様々な種類の出力デバイス１０１７の例としては、スピーカー１０１９、プリンタなどがある。たとえば、ワイヤレス通信デバイス１００２は１つまたは複数のスピーカー１０１９を含み得る。一構成では、スピーカー１０１９は、電気信号または電子信号を音響信号に変換するトランスデューサであり得る。ワイヤレス通信デバイス１００２中に一般に含まれ得る１つの特定のタイプの出力デバイス１０１７はディスプレイ１０２１デバイスである。本明細書で開示する構成とともに使用されるディスプレイ１０２１デバイスは、陰極線管（ＣＲＴ）、液晶ディスプレイ（ＬＣＤ）、発光ダイオード（ＬＥＤ）、ガスプラズマ、エレクトロルミネセンスなど、任意の好適な画像投影技術を利用し得る。また、ディスプレイコントローラ１０２３は、メモリ１００５に記憶されたデータを、ディスプレイ１０２１デバイス上に示されるテキスト、グラフィック、および／または動画に（適宜に）変換するために設けられ得る。
【０１２７】
[00136]ワイヤレス通信デバイス１００２の様々な構成要素は、１つまたは複数のバスによって互いに結合され得、それは、電力バス、制御信号バス、ステータス信号バス、データバスなどを含み得る。簡単のために、図１０では様々なバスはバスシステム１０２５として示されている。図１０は、ワイヤレス通信デバイス１００２の１つの可能な構成しか示していないことに留意されたい。様々な他のアーキテクチャおよび構成要素が利用され得る。
【０１２８】
[00137]上記の説明では、様々な用語とともに参照番号を時々使用した。用語が参照番号とともに使用されている場合、これは、図のうちの１つまたは複数に示された特定の要素を指すものとされ得る。用語が参照番号なしに使用されている場合、これは、概して特定の図に限定されない用語を指すものとされ得る。
【０１２９】
[00138]「決定」という用語は、多種多様なアクションを包含し、したがって、「決定」は、計算（calculating）、計算（computing）、処理、導出、調査、ルックアップ（たとえば、テーブル、データベースまたは別のデータ構造でのルックアップ）、確認などを含むことができる。また、「決定」は、受信（たとえば、情報を受信すること）、アクセス（たとえば、メモリ中のデータにアクセスすること）などを含むことができる。また、「決定」は、解決、選択、選定、確立などを含むことができる。
【０１３０】
[00139]「に基づいて」という句は、別段に明示されていない限り、「のみに基づいて」を意味しない。言い換えれば、「に基づいて」という句は、「のみに基づいて」と「に少なくとも基づいて」の両方を表す。
【０１３１】
[00140]「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、デジタル信号プロセッサ（ＤＳＰ）とマイクロプロセッサとの組合せ、複数のマイクロプロセッサ、デジタル信号プロセッサ（ＤＳＰ）コアと連携する１つまたは複数のマイクロプロセッサ、あるいは他のそのような構成を指すことがある。
【０１３２】
[00141]「メモリ」という用語は、電子情報を記憶することが可能な任意の電子的構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／またはメモリに情報を書き込むことができる場合、メモリはプロセッサと電子通信していると言われる。プロセッサに一体化されたメモリはプロセッサと電子通信している。
【０１３３】
[00142]「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【０１３４】
[00143]本明細書で説明した機能は、ハードウェアによって実行されるソフトウェアまたはファームウェアで実装され得る。機能は、コンピュータ可読媒体上に１つまたは複数の命令として記憶され得る。「コンピュータ可読媒体」または「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含み得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。コンピュータ可読媒体は有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【０１３５】
[00144]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１３６】
[00145]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、説明した方法の適切な動作のためにステップまたはアクションの特定の順序が必要とされない限り、特定のステップおよび／またはアクションの順序および／または使用は、特許請求の範囲を逸脱することなく修正され得る。
【０１３７】
[00146]さらに、図２、図３、図４および図６によって示されたものなど、本明細書で説明した方法および技法を実行するためのモジュールおよび／または他の適切な手段は、デバイスによってダウンロードおよび／または他の方法で取得され得ることを諒解されたい。たとえば、デバイスは、本明細書で説明した方法を実行するための手段の転送を可能にするために、サーバに結合され得る。代替的に、本明細書で説明した様々な方法は、記憶手段をデバイスに結合するかまたは与えるときにデバイスが様々な方法を取得し得るように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって提供され得る。その上、本明細書で説明した方法および技法をデバイスに提供するための任意の他の好適な技法が利用され得る。
【０１３８】
[00147]特許請求の範囲は、上記で示した厳密な構成および構成要素に限定されないことを理解されたい。特許請求の範囲から逸脱することなく、本明細書で説明したシステム、方法、および装置の構成、動作および詳細において、様々な修正、変更および変形が行われ得る。
【図１】
2016540399.tif 000003
【図２】
2016540399.tif 000004
【図３】
2016540399.tif 000005
【図４】
2016540399.tif 000006
【図５】
2016540399.tif 000007
【図６】
2016540399.tif 000008
【図７】
2016540399.tif 000009
【図８】
2016540399.tif 000010
【図９】
2016540399.tif 000011
【図１０】
2016540399.tif 000012
【国際調査報告】
2016540399.tif 000013
2016540399.tif 000014